(57)【要約】【課題】自動ドアの全閉状態の際におけるドア本体の上方及び開方向への強制的な移動を防止することで、防犯性に優れた自動ドアのこじ開け防止装置を提供することにある。【解決手段】ドア本体１の下部に設けた係合部８１と、ドア本体１下方のガイド溝５内に設けた被係合部３５とを備え、前記係合部８１と前記被係合部３５は、ドア本体１を全閉状態で上方移動しようとした際に係合すると共に、同ドア本体１を前記上方移動と同時に開方向移動しようとした際にも係合するように、それぞれに上下で対向するフック部８１ｂ，３５ｂが形成され、双方のフック部８１ｂ，３５ｂ間には、ドア本体１の通常の開閉動作を可能にするクリアランスＨを形成してなる。【選択図】　　　　図１
2004003343.tif 000002
【特許請求の範囲】
【請求項１】
ドア本体が、框体上端部の複数の戸車により無目内の上部レールに水平移動可能に吊り下げられ、框体下端部から突出させた振れ止め部材によりガイド溝内で案内された自動ドアにおいて、
前記ドア本体の下部に固定した係合部と、ドア本体下方の前記ガイド溝内に固定した被係合部とを備え、
前記係合部と前記被係合部は、ドア本体を全閉状態で上方移動しようとした際に係合すると共に、同ドア本体を前記上方移動と同時に開方向移動しようとした際にも係合するように形成されている自動ドアのこじ開け防止装置。
【請求項２】
上記係合部は、ドア本体の下面から突出する略Ｌ型に形成され、上記被係合部は、前記係合部と係合可能な略逆Ｌ型又は筒状に形成され、前記係合部と前記被係合部における上下で対向する各面には、ドア本体を全閉状態で上方移動と同時に開方向移動しようとした際に係合するフック部を形成し、これら双方のフック部間には、ドア本体の通常の開閉動作を可能にするクリアランスを形成している請求項１記載の自動ドアのこじ開け防止装置。
【請求項３】
上記係合部は、ドア本体の戸先面の下側に凹状又は凸状に形成され、上記被係合部は、前記戸先面と対向する側枠面に前記係合部と係合可能な凸状又は凹状に形成され、前記係合部と前記被係合部における上下で対向する各面には、ドア本体を全閉状態で上方移動と同時に開方向移動しようとした際に係合するフック部を形成し、これら双方のフック部間には、ドア本体の通常の開閉動作を可能にするクリアランスを形成している請求項１記載の自動ドアのこじ開け防止装置。
【請求項４】
上記係合部の側面に、前記ガイド溝の側壁に摺接してドア本体の振れ止めとして作用する摺接部材を設けたことを特徴とする請求項１記載の自動ドアのこじ開け防止装置。
【発明の詳細な説明】
【０００１】
【発明の属する技術分野】
本発明は、水平移動により開口部を開閉する引き戸タイプの自動ドアの防犯装置に関し、更に詳しくは、施錠状態のドアがこじられて強制的にガイド溝から外されるのを防止する自動ドアのこじ開け防止装置に関するものである。
【０００２】
【従来の技術】
近年、この種の自動ドアにおいては、ドア本体下部とガイド溝との隙間にバール等を差込みドア本体を強制的にこじ上げることにより、ドア本体下部がガイド溝から外されると共に、ドア本体上部の戸車が上部レールから外され、この外されたドア本体を前方あるいは手前にずらすことで侵入者が建物内に侵入するという犯罪が発生している。
そこで、本願の出願人は、ドア本体の下部に係合部を設け、ガイド溝内にドア本体の上方への移動を防止するように前記係合部と係合する被係合部を設けた自動ドアのこじ開け防止装置を提案している（特願平１０−１４９９６９参照）。
この自動ドアのこじ開け防止装置１１０は、図１０に例示するように、ドア本体１０１の下部にＬ型の係合部１８１を取付け、ガイド溝１０５内には前記係合部１８１と係合する逆Ｌ型の被係合部１３５を固定してなり、バール等をドア本体１０１とガイド溝１０５の隙間に差込みドア本体１０１をこじ上げようとした際に、前記係合部１８１と被係合部１３５が係合して、ドア本体１０１が上方に動かされてガイド溝１０５から外されるのを防止するものである。
【０００３】
しかしながら、上記従来の自動ドアのこじ開け防止装置１１０では、ドア本体１０１がこじ上げられる際に、ドア本体１０１の下部に上方への力と開方向への力とが同時に加えられると、即ち、ドア本体１０１とガイド溝１０５の隙間にバール等が差込まれて、ドア本体１０１がこじ上げられた状態で開方向移動されると、係合部１８１と被係合部１３５との係合が外されてしまう場合がある。
特に、図１０に示した自動ドアＡ’のように、上方の無目１０２内からドア本体１０１上部内に鍵棒１７１を進退させる電気錠等の施錠装置１６０が設けられている場合には、ドア本体１０１の下部において開方向への移動を阻止する部材がないため、ドア本体１０１の下部が施錠装置１６０近傍を支点に回転するようにして外されてしまうことが懸念される。
【０００４】
【発明が解決しようとする課題】
本発明は上記従来事情に鑑みてなされたものであり、その目的とする処は、自動ドアの全閉状態の際におけるドア本体の上方及び開方向への強制的な移動を防止することで、防犯性に優れた自動ドアのこじ開け防止装置を提供することにある。
【０００５】
【課題を解決するための手段】
上記目的を達成するための本発明の技術的手段として、請求項１は、ドア本体が、框体上端部の複数の戸車により無目内の上部レールに水平移動可能に吊り下げられ、框体下端部から突出させた振れ止め部材によりガイド溝内で案内された自動ドアにおいて、前記ドア本体の下部に固定した係合部と、ドア本体下方の前記ガイド溝内に固定した被係合部とを備え、前記係合部と前記被係合部は、ドア本体を全閉状態で上方移動しようとした際に係合すると共に、同ドア本体を前記上方移動と同時に開方向移動しようとした際にも係合するように形成されていることを特徴とする。
ここで、ドア本体を前記上方移動と同時に開方向移動しようとした際とは、ドア本体に上方への力と開方向への力とが同時に作用した場合を意味し、ドア本体をバール等でこじ上げた状態で開方向へ移動しようとした場合を含む。
また、前記係合部と前記被係合部の具体的構成は、例えば、ドア本体の下部に固定した係合部とドア本体下方のガイド溝内に固定した被係合部とに、ドア本体の全閉状態において対向する対向面を形成し、これら各対向面に、ドア本体を前記上方移動と同時に開方向移動しようとした際に係合するフック部を形成すればよく、好ましくは、請求項２又は３に記載した構成にすればよい。
【０００６】
即ち、請求項２では、上記係合部は、ドア本体の下面から突出する略Ｌ型に形成され、上記被係合部は、前記係合部と係合可能な略逆Ｌ型又は筒状に形成され、前記係合部と前記被係合部における上下で対向する各面には、ドア本体を全閉状態で上方移動と同時に開方向移動しようとした際に係合するフック部を形成し、これら双方のフック部間には、ドア本体の通常の開閉動作を可能にするクリアランスを形成していることを特徴とする。
【０００７】
また、請求項３では、上記係合部は、ドア本体の戸先面の下側に凹状又は凸状に形成され、上記被係合部は、前記戸先面と対向する側枠面に前記係合部と係合可能な凸状又は凹状に形成され、前記係合部と前記被係合部における上下で対向する各面には、ドア本体を全閉状態で上方移動と同時に開方向移動しようとした際に係合するフック部を形成し、これら双方のフック部間には、ドア本体の通常の開閉動作を可能にするクリアランスを形成していることを特徴とする。
尚、上記請求項２及び請求項３の構成において、係合部及び被係合部の各々に形成されるフック部の数は一個もしくは複数個とする。
そして、請求項４では、上記係合部の側面に、前記ガイド溝の側壁に摺接してドア本体の振れ止めとして作用する摺接部材を設けたことを特徴とする。
【０００８】
上記技術的手段によれば、本発明は下記の作用を奏する。
（請求項１）ドア本体の全閉状態において、ドア本体に上方への力が作用すると、係合部と被係合部とが係合してドア本体の上方移動を防止し、更に、前記上方への力と同時にドア本体に開方向の力が作用した場合にも、同係合部と同被係合部とが係合してドア本体の上方移動及び開方向移動を防止する。
（請求項２）ドア本体の全閉状態において、ドア本体に上方への力が作用すると、略Ｌ型の係合部と逆Ｌ型又は筒状の被係合部とが係合してドア本体の上方移動を防止し、更に、前記上方への力と同時にドア本体に開方向の力が作用した場合にも、係合部と被係合部の双方のフック部が係合してドア本体の上方移動及び開方向移動を防止する。また、ドア本体を通常に開閉動作する際には、双方のフック部間のクリアランスにより、ドア本体が前記双方のフックで係止することなく開閉移動する。
（請求項３）ドア本体の全閉状態において、ドア本体に上方への力が作用すると、ドア本体の戸先面側の凹部又は凸部と、側枠面側の凸部又は凹部とが係合してドア本体の上方移動を防止し、更に、前記上方への力と同時にドア本体に開方向の力が作用した場合にも、係合部と被係合部の双方のフック部が係合してドア本体の上方移動及び開方向移動を防止する。また、ドア本体を通常に開閉動作する際には、双方のフック部間のクリアランスにより、ドア本体が前記双方のフックで係止することなく開閉移動する。
（請求項４）係合部を振れ止め部材に兼用することができ、別途の振れ止め部材を省くことができる。
【０００９】
【発明の実施の形態】
以下、本発明の実施の形態を図面に基づいて説明する。
図１は、本発明に係る自動ドアのこじ開け防止装置の一例を示す。
このこじ開け防止装置１０は、図１に示すように、建築躯体開口部に設置された自動ドアＡの下部に設けられる。
自動ドアＡは、両開きの引き戸タイプの自動ドアであり、建築躯体開口部の両側辺に設けた側枠３，３と、両側枠３，３の上端側に取付けて図示しない駆動部を収納する無目２と、抜け防止のアンカー１５を下面に複数溶接して床面に埋め込んだガイド溝５と、両側枠３，３側の開口部を塞ぐようにして固定された２枚の固定ガラス４，４と、これら２枚の固定ガラス４，４の間の開口部を前記駆動部により開閉する２枚のドア本体１，１等を備え、これら２枚のドア本体１，１のそれぞれの下部に、こじ開け防止装置１０を設けてなる。
【００１０】
ドア本体１は、上下左右の框を枠組した框体２１内にガラス板１１を嵌め込んでなり、框体２１上端部の複数の戸車４１により無目２内の上部レール１２に水平移動可能に吊り下げられると共に、框体２１の下端面から突出させた振れ止め部材５１によりガイド溝５内で案内されて開閉作動し、施錠装置６０により施錠された全閉状態の際には、こじ開け防止装置１０によってこじ開けが防止される。
【００１１】
こじ開け防止装置１０は、ドア本体１の下部に設けた係合部８１と、ドア本体１下方のガイド溝５内に設けた被係合部３５とからなり、ドア本体１の全閉状態において係合部８１と被係合部３５とを係合させることにより、ドア本体１の上方移動と、その上方移動と同時に行われる開放移動とを防止する。
【００１２】
係合部８１は、図３に示すように、水平方向に突出する突出部８１ａを有する正面視略Ｌ型を呈すると共に、その突出部８１ａの上面に一個又は複数個のフック部８１ｂを形成してなり、突出部８１ａを戸先１ａ側に向けて框体２１の下面にネジ止め又は溶接等により固定されている。
【００１３】
被係合部３５は、水平方向に突出する突出部３５ａを有する略逆Ｌ型を呈すると共に、突出部３５ａの下面に一個又は複数個のフック部３５ｂを形成してなり、突出部３５ａを係合部８１側に向けてガイド溝５内にネジ止め又は溶接等により固定されている。
【００１４】
上記係合部８１のフック部８１ｂと上記被係合部３５のフック部３５ｂは、図２に示すように、ドア本体１の全閉状態において、上下で対向すると共に、双方のフック部８１ｂ，３５ａ間にクリアランスＨを有するように設けられており、ドア本体１を全閉状態で上方移動と同時に開方向移動しようとした際に係合し、ドア本体１の通常の開閉動作、即ち水平方向の開閉動作の際には前記クリアランスＨにより係合することがないように構成してある。
【００１５】
尚、フック部８１ｂとフック部３５ｂの各々の数は、限定されるものでないが、係合部８１と被係合部３５の係合を確実にするために、図示したように少なくとも一方を複数にするのが好ましい。
【００１６】
また、触れ止め部材５１は、図５に示すように、ガイド溝５の左右の側壁５ａ，５ａに対向する両側面にナイロン板等からなる摺接部材５１ａが接着されており、この摺接部材５１ａによって側壁５ａとの摺動抵抗を軽減してドア本体１をガタ付きなく且つ滑らかに水平移動するようにしている。この触れ止め部材５１は、後述する図６に示す態様のように、係合部８１を触れ止めとしても機能するように構成することで省いても構わない。
【００１７】
また、施錠装置６０は、施錠時に電気信号を受けて無目２内から鍵棒７１を下方に突出させ、この鍵棒７１を框体２１の上部内に固定された受け部材（図示せず）に係合させることにより、ドア本体１を開方向に移動しなくする周知技術の電気錠である。
【００１８】
而して、上記構成のこじ開け防止装置１０によれば、ドア本体１の全閉状態においては、係合部８１のフック部８１ｂと被係合部３５のフック部３５ｂがクリアランスＨを置いて対向した状態となる。この状態で、框体２１の下部とガイド溝５との隙間にバール等を差込みドア本体１をこじ上げようとすると、係合部８１の突出部８１ａと被係合部３５の突出部３５ａとが当接してドア本体１の上方への移動が防止される。更に、ドア本体１をバール等でこじ上げながら開方向に動かそうとすると、係合部８１のフック部８１ｂと被係合部３５の被係合部３５とが係合するため、ドア本体１の上方移動と共に開方向移動が防止される。また、自動ドアＡの通常の開閉動作の際には、クリアランスＨにより双方のフック部８１ｂ，３５ｂが係合しないため、ドア本体１の水平移動が妨げられることはない。
【００１９】
尚、上記被係合部３５は、図４に示すこじ開け防止装置２０のように、断面中空矩形の略筒状に形成された被係合部４５に代えても構わない。この場合、被係合部４５は、中空部４５ａの一方の開口端部を係合部８１側に向けてガイド溝５内にネジ止め又は溶接等により固定され、中空部４５ａ内の上面には、係合部８１のフック部８１ｂと係合可能な一個または複数個のフック部４５ｂが形成される。このフック部４５ｂは、被係合部４５を形成する筒状部材の上面を部分的にコの字形に切込んで下方に折り曲げることで形成してある。そして、この筒状の被係合部４５を構成したこじ開け防止装置２０においても、上記こじ開け防止装置１０と同様の作用効果を奏する。
【００２０】
次に、図６に示す態様のこじ開け防止装置３０について説明する。
このこじ開け防止装置３０は、上述した係合部８１及び被係合部３５を二組設け、この各組をドア本体１下部の左端側と右端側とに設けている。更に、このこじ開け防止装置３０は、係合部８１を振れ止めとしても機能するように構成することで、上記した振れ止め部材５１を省き、また、ドア本体１上方の上記施錠装置６０を框体２１の下部内に設けた施錠装置６０’に代えて、被係合部３５が鍵棒７１の受け部材としても機能するように構成している。
尚、施錠装置６０’は、施錠時に框体２１の前面下側の鍵穴６１に図示しない鍵を差し込んで回すことにより框体２１の下面から鍵棒７１を突出させ、この鍵棒７１を受け部材（図示せず）に係合させることにより、ドア本体１を開方向に移動しなくする周知技術の装置である。
【００２１】
前記構成を詳細に説明すると、こじ開け防止装置３０は、図６に示すように、框体２１下面の両端側のそれぞれに、係合部８１を突出部８１ａが戸先１ａ側を向くようにして固定すると共に、ガイド溝５内に、前記それぞれの係合部８１に対応させて被係合部３５を固定してある。この際、戸先１ａ側の前記被係合部３５は、施錠時に鍵棒７１側面により当接されるように配置されている。
更に、各々の係合部８１の両側面には、上記した摺接部材５１ａが接着されている。尚、この態様においては、係合部８１及び摺接部材５１ａの縦断面形状は、上述した図５に示す振れ止め部材５１と同様になる。
【００２２】
而して、上記構成のこじ開け防止装置３０によれば、係合部８１及び被係合部３５が二組設けられているため、それぞれに設けられた突出部８１ａ，３５ａ及びフック部８１ｂ，３５ｂが係合することで、全閉時におけるドア本体１の上方及び開方向へのこじ上げに対する強度が強化される。
更に、二つの係合部８１，８１がそれぞれ摺接部材５１ａを介してガイド溝５の両側壁５ａ，５ａに摺接し、ドア本体１の振れ止めとして作用する。
その上、ドア本体１の施錠時に、戸先１ａ側の被係合部３５が鍵棒７１側面に当接して鍵棒７１の受け部材となる。
尚、二組の係合部８１及び被係合部３５は、各組がドア本体１の左右両端側にそれぞれ位置するため、一方の組の係合部８１が他方の組の被係合部３５に干渉することはない。
また、被係合部３５を、上述した筒状の被係合部４５に代えてもよく、この場合も上記同様の作用効果を得ることができる。
【００２３】
次に、図７に示す態様のこじ開け防止装置４０について説明する。
このこじ開け防止装置４０は、係合部８１及び被係合部３５を複数組設け、それぞれの組が、ガイド溝５の両側壁５ａ，５ａ間でガイド溝５の長手方向に対する直角方向に、各々が互いに間隙を有して並列可能なように配置されている。尚、被係合部３５は、筒状の被係合部４５であっても構わない。
上記構成によれば、それぞれの係合部８１がドア本体１の開閉作動時に他の組の被係合部３５又は４５に干渉することなく、複数組設けたことでドア本体１の上方及び開方向へのこじ上げに対する強度が向上される。
そして、この態様では、摺接部材５１ａをガイド溝５の側壁５ａに面する係合部８１の片側側面に接着することにより、係合部８１にドア本体１の振れ止めとしての機能を併せ持たせている。
また、上記した図６に示す態様のように、一方の被係合部３５又は４５を施錠時に鍵棒７１側面に当接させるようにすることで、この被係合部３５又は４５に鍵棒７１の受け部材としての機能を併せ持たせるようにしてもよい。
【００２４】
次に、図８及び９に示す態様のこじ開け防止装置５０について説明する。
このこじ開け防止装置５０は、框体２１の下端部をガイド溝５内に案内されるようにした片開きの開き戸タイプの自動ドアＢにおいて、框体２１の戸先１ａ面の下端近傍に設けた凸状の係合部６と、戸先１ａに対向する側枠３の側面３ａ下端近傍に設けた凹状の被係合部７とにより構成されている。
【００２５】
係合部６は、図９（ａ）に示すように、戸先１ａから突出する凸状を呈し、戸先１ａ面に溶接等で固定されており、その上面には、一個又は複数個のフック部６ａが形成されている。
【００２６】
被係合部７は、縦断面矩形の略筒状に形成された筒状部材７’を、側枠３に形成した凹部に嵌入してなる。筒状部材７’には、上述した筒状の被係合部４５と同様に、上面を部分的にコの字形に切込んで下方に折り曲げることで複数のフック部７ａを形成してある（図９（ｂ）参照）。
【００２７】
フック部６ａとフック部７ａは、上述した係合部８１のフック部８１ｂ及び被係合部３５のフック部３５ｂと同様に、ドア本体１の全閉状態において、上下で対向すると共に、双方の間にドア本体１の通常の開閉動作を可能にするクリアランスを形成している。
【００２８】
尚、自動ドアＢ全体の構成については、上述した自動ドアＡと基本的な構成を同様にしているため、同名称の部分に同一符号を付け、重複する詳細説明を省略する。
【００２９】
而して、このこじ開け防止装置５０では、フック部６ａを有する凸状の係合部６がフック部７ａを有する凹状の被係合部７と係合して、ドア本体１の上方及び開方向へのこじ上げが防止される。
尚、前記係合部６を凹状に形成するとともに、被係合部７を凸状に形成し、その各々にフック部６ａとフック部７ａを設けることで、上記同様にドア本体１の上方及び開方向へのこじ上げを防止するように構成しても構わない。
【００３０】
【発明の効果】
本発明は、以上説明したように構成されているので、以下に記載されるような効果を奏する。
ドア本体の全閉状態において、ドア本体の下部とガイド溝との隙間にバール等を差込みドア本体を強制的にこじ上げて開放しようとすると、係合部と被係合部とが係合して、ドア本体の上方移動及び開方向移動を防止する。従って、ドア本体が上方及び開方向に動かされて外されるのを防止できる。特に、電気錠等の施錠装置がドア本体の上方に設けられている自動ドアの場合でも、ドア本体の下部において係合部と被係合部が係合するため、ドア本体が上方及び開方向に動かされて外されるのを防止できる。
よって、自動ドアの全閉状態の際におけるドア本体の上方及び開方向への強制的な移動が防止されて、防犯性に優れた自動ドアのこじ開け防止装置を提供することができる。
【図面の簡単な説明】
【図１】本発明に係る自動ドアのこじ開け防止装置の一例を一部切欠し拡大して示す正面図。
【図２】同自動ドアのこじ開け防止装置の要部を拡大して示す縦断面図。
【図３】同自動ドアのこじ開け防止装置を示す斜視図。
【図４】被係合部材の他例を示す斜視図。
【図５】振れ防止の構造を示す縦断面図。
【図６】本発明に係る自動ドアのこじ開け防止装置の他例を一部切欠して示す正面図。
【図７】本発明に係る自動ドアのこじ開け防止装置の他例で、係合部と被係合部との位置関係を示す横断面図。
【図８】本発明に係る自動ドアのこじ開け防止装置の他例を示す正面図。
【図９】（ａ）は、図８に示す自動ドアのこじ開け防止装置において要部を拡大して示す斜視図、（ｂ）は、同自動ドアのこじ開け防止装置において被係合部に用いられる筒状部材を示す斜視図。
【図１０】従来の自動ドアのこじ開け防止装置の一例を一部切欠し拡大して示す正面図。
【符号の説明】
Ａ，Ｂ：自動ドア
１：ドア本体
１ａ：戸先
３：側枠
５：ガイド溝
６，８１：係合部
６ｂ，８１ｂ：フック部
７，３５，４５：被係合部
７ｂ，３５ｂ，４５ｂ：フック部
１０，２０，３０，４０，５０：こじ開け防止装置
【図１】
2004003343.tif 000003
【図２】
2004003343.tif 000004
【図３】
2004003343.tif 000005
【図４】
2004003343.tif 000006
【図５】
2004003343.tif 000007
【図６】
2004003343.tif 000008
【図７】
2004003343.tif 000009
【図８】
2004003343.tif 000010
【図９】
2004003343.tif 000011
【図１０】
2004003343.tif 000012